【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】
ホログラフィを利用して情報を光情報記録媒体に記録する光情報記録装置であって、
２次元のピクセルデータからなるページデータを前記光情報記録媒体の所定の位置に、前記ページデータの情報を担持した情報光と記録用参照光との干渉パターンとして記録する光学的記録手段と、
前記光学的記録手段による前記ページデータの記録が正常に行われたかを判定する判定手段と、
前記判定手段の判定結果に応じて前記光学的記録手段の記録動作を制御する制御手段と、
を備える光情報記録装置。
【請求項２】
前記判定手段によって前記ページデータの記録が正常に行われなかったと判断された場合に、前記制御手段は前記ページデータを前記所定の位置とは別の位置に再度記録するように前記光学的記録手段を制御することを特徴とする請求項１記載の光情報記録装置。
【請求項３】
前記光学的記録手段は、前記制御手段の制御に従って、前記ページデータとともに、記録すべきこのページデータがコピーであることを示す識別情報を記録することを特徴とする請求項２記載の光情報記録装置。
【請求項４】
前記光学的記録手段は、前記ページデータと共にこのページデータを識別するためのページ識別情報を記録することを特徴とする請求項２記載の光情報記録装置。
【請求項５】
前記ページ識別情報はインデックス番号であり、前記判定手段の結果が否定的であった場合に、正常に記録できなかったページデータのインデックス番号と再度記録されたページデータのインデックス番号は同一であることを特徴とする請求項４記載の光情報記録装置。
【請求項６】
前記インデックス番号は、デクリメントするように記録されることを特徴とする請求項５記載の光情報記録装置。
【請求項７】
前記識別情報として、第１及び第２のインデックス番号を用いることを特徴とする請求項４記載の光情報記録装置。
【請求項８】
前記第１のインデックス番号はデクリメントするようにページ単位で付加され、第２のインデックス番号は記録回数に対応して付加されることを特徴とする請求項７記載の光情報記録装置。
【請求項９】
前記判定手段は、前記ページデータの記録のほぼ直後に記録された干渉パターンから発生させた再生像をチェックすることにより、前記ページデータの記録が正常に行われたかを判定することを特徴とする請求項１記載の光情報記録装置。
【請求項１０】
ホログラフィを利用して、２次元のピクセルデータからなるページデータの情報を担持した情報光と記録用参照光との干渉による干渉パターンによって、複数のページデータが所定の順序に従って記録された情報記録層を備えた光情報記録媒体から情報を再生するための光情報再生装置であって、
再生用参照光を前記干渉パターンに照射して再生光を発生させる光学的再生手段と、
前記再生光を検出して前記ページデータを再現する再生像取得手段と、
前記再現されたページデータに所定の情報が含まれているか否かを判定する判定手段と、
前記所定の情報が前記再現されたページデータに含まれている場合に、直前に再現されたページデータを前記所定の情報を含むページデータで置き換えるようにする制御手段と、
を備えたことを特徴とする光情報再生装置。
【請求項１１】
前記所定の情報は、現ページデータが直前に記録されたページデータと同一のものであることを示す情報であることを特徴とする請求項１０記載の光情報再生装置。
【請求項１２】
前記所定の情報は、前記現ページデータにのみ含まれることを特徴とする請求項１１記載の光情報再生装置。
【請求項１３】
前記所定の情報は、各ページデータに付加されたインデックス番号であって、前記判定手段の判定結果が肯定的なものである場合には現ページデータのインデックス番号と直前のページデータのインデックス番号は同一であることを特徴とする請求項１１記載の光情報再生装置。
【請求項１４】
前記インデックス番号は、前記複数のページデータにおいてデクリメントされるように付加されていることを特徴とする請求項１３記載の光情報再生装置。
【請求項１５】
前記所定の情報は、各ページデータに対応して付加された第１のインデックス番号と記録回数に対応して付加された第２のインデックス番号であり、
前記判定手段は、第１のインデックス及び第２のインデックス番号の有無を判定し、
前記制御手段は、前記第１のインデックス番号の有無に基づいて前記ページデータの置き換え動作を制御し、第２のインデックス番号の有無に基づいてデータ読み込みエラー訂正動作を制御することを特徴とする請求項１１記載の光情報再生装置。
【請求項１６】
ホログラフィを利用して情報を光情報記録媒体に記録するためのプログラムであって、
２次元のピクセルデータからなるページデータを前記光情報記録媒体の所定の位置に、前記ページデータの情報を担持した情報光と記録用参照光との干渉パターンとして記録する第１のステップと、
前記第１のステップによる前記ページデータの記録が正常に行われたかを判定する第２のステップと、
前記第２のステップの判定結果に応じて前記光学的記録手段の記録動作を制御する第３のステップと、
を有するプログラムが記録されているコンピュータによって読み取り可能な記録媒体。
【請求項１７】
ホログラフィを利用して、２次元のピクセルデータからなるページデータの情報を担持した情報光と記録用参照光との干渉による干渉パターンによって、複数のページデータが所定の順序に従って記録された情報記録層を備えた光情報記録媒体から情報を再生するためのプログラムであって、
再生用参照光を前記干渉パターンに照射して再生光を発生させる第１のステップと、
前記再生光を検出して前記ページデータを再現する第２のステップと、
前記再現されたページデータに所定の情報が含まれているか否かを判定する第３のステップと、
前記所定の情報が前記再現されたページデータに含まれている場合に、直前に再現されたページデータを前記所定の情報を含むページデータで置き換えるようにする第４のステップと、
を有するプログラムが記録されているコンピュータによって読み取り可能な記録媒体。
【請求項１８】
ホログラフィを利用して情報を記録するための光情報記録媒体であって、
第1の基板と、
反射膜を有する第2の基板と
前記第１及び第２の基板との間に配置されたホログラム記録層と、を備え、
前記第１の基板における光の入射面から前記ホログラム記録層を含め、前記第２の基板の反射膜までの厚さが０．６から１．２ｍｍとなるように構成されたことを特徴とする光情報記録媒体。
【請求項１９】
前記第１の基板の厚さは０．４から０．５ｍｍ、前記ホログラム記録層の厚さは０．２から０．３ｍｍ、前記第2の基板の厚さは０．５から０．６ｍｍであり、全体の厚さが１．２ｍｍであることを特徴とする請求項１８に記載の光情報記録媒体。
【請求項２０】
前記第１の基板と前記ホログラム記録層を合わせた厚さが、０．６から０．７ｍｍであることを特徴とする請求項１８又は１９に記載の光情報記録媒体。
【請求項２１】
前記反射層は、前記第２の基板の前記ホログラム記録層側に設けられていることを特徴とする請求項１８乃至２０の何れか１項に記載の光情報記録媒体。
【請求項２２】
前記反射層は、前記第２の基板の前記ホログラム記録層とは反対側に設けられていることを特徴とする請求項１８乃至２０の何れか１項に記載の光情報記録媒体。